(57)【要約】【課題】それぞれシート状に形成された正極、負極及びセパレータを重ね合わせた状態で巻回してなる電極体が電池ケース内に収納された角形二次電池において、電池ケースが衝撃を受けても内部の電極体を保護可能な構成を得る。【解決手段】角形二次電池は、それぞれシート状に形成された正極（３１）、負極（３２）及びセパレータ（３３）を重ね合わせた状態で巻回することにより構成される電極体と、内部に電極体が収納される扁平柱状の電池ケースとを備える。セパレータ（３３）は、正極（３１）及び負極（３２）よりも大きい面積を有する。セパレータ（３３）のうち電池ケースの底面側に位置し且つ正極（３１）及び負極（３２）から突出した突出部分（３３ａ）は、電池ケースの底面側に与えられた衝撃を吸収する緩衝部を構成する。【選択図】図３
2013164967.tif 000002
【特許請求の範囲】
【請求項１】
それぞれシート状に形成された正極、負極及びセパレータを重ね合わせた状態で巻回することにより構成される電極体と、
内部に前記電極体が収納される扁平柱状の電池ケースとを備え、
前記セパレータは、前記正極及び前記負極と重ね合わせた状態で前記正極及び前記負極よりも外方に突出するように、前記正極及び前記負極よりも大きい面積を有していて、
前記セパレータのうち、前記電池ケースの底面側に位置し且つ前記正極及び前記負極から突出する突出部分は、前記電池ケースの底面側に与えられた衝撃を吸収する緩衝部を構成する、角形二次電池。
【請求項２】
請求項１に記載の角形二次電池において、
前記セパレータにおける前記突出部分は、その突出長さが、前記電池ケースにおいて厚み方向に対向する内面同士の間隔以上である、角形二次電池。
【請求項３】
請求項２に記載の角形二次電池において、
前記セパレータにおける前記突出部分は、前記電池ケースの厚み方向に折り曲げられている、角形二次電池。
【請求項４】
請求項２に記載の角形二次電池において、
前記セパレータにおける前記突出部分は、溶着によって該突出端部同士が一体化されている、角形二次電池。
【請求項５】
請求項１から４のうちいずれか一つに記載の角形二次電池において、
前記セパレータにおける前記突出部分は、その突出長さが、前記セパレータのうち、前記電池ケースの上面側に位置し且つ前記正極及び前記負極から突出した突出部分の突出長さよりも大きい、角形二次電池。
【請求項６】
請求項１から５のうちいずれか一つに記載の角形二次電池において、
前記セパレータのうち、前記電池ケースの上面側に位置し且つ前記正極及び前記負極から突出した突出部分は、その突出長さが、前記電池ケースにおいて厚み方向に対向する内面同士の間隔以上である、角形二次電池。
【発明の詳細な説明】
【技術分野】
【０００１】
本発明は、それぞれシート状に形成された正極、負極及びセパレータを重ね合わせた状態で巻回してなる電極体が、扁平柱状の電池ケース内に収納された角形二次電池に関する。
【背景技術】
【０００２】
従来より、それぞれシート状に形成された正極、負極及びセパレータを重ね合わせた状態で巻回してなる電極体を、扁平柱状の電池ケース内に収納することによって構成される角形二次電池が知られている。このような角形二次電池としては、例えば特許文献１に開示されるように、セパレータ、正極電極、セパレータ、負極電極の順に積層したものを糸巻き状に巻回した後に押圧して扁平に成形し、角筒状の金属容器内に収納した構成が知られている。
【先行技術文献】
【特許文献】
【０００３】
【特許文献１】特開２００３−１５１６１５号公報
【発明の概要】
【発明が解決しようとする課題】
【０００４】
ところで、前記特許文献１の構成のように、それぞれシート状に形成された正極、負極及びセパレータを重ねた合わせた状態で巻回してなる電極体を、電池ケース内に収納する構成では、電池に衝撃が加わると、電池ケース内の電極体にも大きな衝撃が加わる。
【０００５】
特に、電池の性能試験の一つである耐衝撃試験では、電池を落下させて電池ケースの底面に衝撃を与えるため、電極体における電池ケースの底面側に、大きな衝撃が加わりやすい。衝撃によって正極及び負極がセパレータに対して移動すると、正極と負極との位置関係が変化して性能低下を招いたり、正極と負極とが接触して短絡が生じたりする可能性がある。
【０００６】
そのため、本発明の目的は、それぞれシート状に形成された正極、負極及びセパレータを重ね合わせた状態で巻回してなる電極体が、電池ケース内に収納された角形二次電池において、電池ケースが衝撃を受けても内部の電極体を保護可能な構成を得ることにある。
【課題を解決するための手段】
【０００７】
本発明の一実施形態に係る角形二次電池は、それぞれシート状に形成された正極、負極及びセパレータを重ね合わせた状態で巻回することにより構成される電極体と、内部に前記電極体が収納される扁平柱状の電池ケースとを備え、前記セパレータは、前記正極及び前記負極と重ね合わせた状態で前記正極及び前記負極よりも外方に突出するように、前記正極及び前記負極よりも大きい面積を有していて、前記セパレータのうち、前記電池ケースの底面側に位置し且つ前記正極及び前記負極から突出する突出部分は、前記電池ケースの底面側に与えられた衝撃を吸収する緩衝部を構成する（第１の構成）。
【０００８】
以上の構成では、セパレータは、正極及び負極よりも面積が大きいため、該正極及び負極よりも外方に突出している。これにより、セパレータによって正極と負極との間の短絡発生を防止できる。しかも、このようなセパレータのうち、前記電池ケースの底面側に位置し且つ前記正極及び前記負極から突出した突出部分が、前記電池ケースの底面側に与えられた衝撃を吸収する緩衝部を構成するため、電極体において正極及び負極が配置されている部分に加わる衝撃を低減できる。
【０００９】
前記第１の構成において、前記セパレータにおける前記突出部分は、その突出長さが、前記電池ケースにおいて厚み方向に対向する内面同士の間隔以上であるのが好ましい（第２の構成）。
【００１０】
このように、セパレータにおける電池ケースの底面側の突出長さを、電池ケースにおいて厚み方向に対向する内面同士の間隔以上にすることで、緩衝部として機能する、セパレータの突出部分を容易に変形させることができる。よって、電池ケースの底面側に衝撃が加わった場合でも、前記セパレータの突出部分によって、その衝撃をより効果的に吸収することができる。
【００１１】
しかも、上述のように、セパレータにおける前記突出部分の突出長さを、電池ケースにおいて厚み方向に対向する内面同士の間隔以上にすることで、該突出部分を容易に折り曲げたり、溶着したりすることができる。これにより、セパレータが複数層、積層された状態の前記突出部分を纏めるためのテープ等の部材が不要になるとともに、該突出部分を折り曲げた場合には、その折り曲げた部分を、衝撃をより確実に吸収する緩衝部として機能させることが可能となる。
【００１２】
前記第２の構成において、前記セパレータにおける前記突出部分は、前記電池ケースの厚み方向に折り曲げられているのが好ましい（第３の構成）。これにより、セパレータにおいて、電池ケースの底面側に位置する突出部分が、より確実に衝撃を吸収する緩衝部として機能する。すなわち、セパレータの突出部分を折り曲げることにより、電池ケースの底面に加わった衝撃に対して、折り曲げられた部分が容易に変形を生じるため、該衝撃をより確実に吸収することができる。
【００１３】
しかも、前記突出部分を前記電池ケースの厚み方向に折り曲げることにより、テープ等を用いることなく、セパレータが複数層、積層された状態の前記突出部分を纏めることができる。したがって、部品点数を減らすことがき、製造コストの低減を図れる。
【００１４】
前記第２の構成において、前記セパレータにおける前記突出部分は、溶着によって該突出端部同士が一体化されているのが好ましい（第４の構成）。こうすることで、テープ等を用いることなく、セパレータが複数層、積層された状態の前記突出部分を纏めることができる。したがって、部品点数を減らすことがき、製造コストの低減を図れる。
【００１５】
前記第１から第４の構成のうちいずれか一つの構成において、前記セパレータにおける前記突出部分は、その突出長さが、前記セパレータのうち、前記電池ケースの上面側に位置し且つ前記正極及び前記負極から突出した突出部分の突出長さよりも大きいのが好ましい（第５の構成）。
【００１６】
これにより、電池の底面側に加わる衝撃に対して、電池ケース内の電極体を保護することができる。すなわち、一般的に、電池の上面側には、電極体以外の部品も配置されるため、該電池の上面側に加わる衝撃によって電極体は大きな衝撃を受けにくい。しかしながら、電池の底面側では、該底面側に大きな衝撃が加わると、電極体は大きな衝撃を受け易い。
【００１７】
これに対し、上述のように、セパレータにおいて、電池ケースの底面側に位置する突出部分の突出長さを上面側に位置する突出部分の突出長さよりも長くすることで、該底面側に位置する突出部分が緩衝部としてより確実に機能する。これにより、電池の底面側に大きな衝撃が加わった場合でも、電池ケース内の電極体において、正極及び負極がセパレータに対して移動するのを防止できる。
【００１８】
前記第１から第５の構成のうちいずれか一つの構成において、前記セパレータのうち、前記電池ケースの上面側に位置し且つ前記正極及び前記負極から突出した突出部分は、その突出長さが、前記電池ケースにおいて厚み方向に対向する内面同士の間隔以上であるのが好ましい（第６の構成）。
【００１９】
こうすることで、電極体において電池ケースの上面側にも、セパレータの突出部分による緩衝部が形成されるため、電池ケースの上面側または下面側のいずれに衝撃が加わった場合でも、その衝撃を電極体の端部で吸収することができる。これにより、電極体内で、正極及び負極がセパレータに対して移動するのを防止できる。
【発明の効果】
【００２０】
本発明の一実施形態に係る角形二次電池によれば、電極体の電池ケース底面側において、シート状の正極及び負極よりも突出するセパレータの突出部分は、該底面側に与えられた衝撃を吸収する緩衝部を構成する。これにより、電池ケースの底面側に衝撃を受けても、該電池ケース内の電極体を保護することができる。
【図面の簡単な説明】
【００２１】
【図１】図１は、本発明の実施形態１に係る角形二次電池の概略構成を示す斜視図である。
【図２】図２は、図１におけるＩＩ−ＩＩ線断面図である。
【図３】図３は、セパレータと正極との配置を示す図である。
【図４】図４は、電極体の概略構成を示す斜視図である。
【図５】図５は、図２におけるＶ−Ｖ線断面のうち下側部分のみを示す図である。
【図６】図６は、実施形態２に係る角形二次電池の電極体の概略構成を示す斜視図である。
【図７】図７は、実施形態３に係る角形二次電池の電極体の概略構成を示す斜視図である。
【図８】図８は、実施形態４に係る角形二次電池において、セパレータと正極との配置を示す図である。
【発明を実施するための形態】
【００２２】
以下、図面を参照し、本発明の実施の形態を詳しく説明する。図中の同一または相当部分については同一の符号を付してその説明は繰り返さない。
【００２３】
＜実施形態１＞
（全体構成）
図１は、本発明の実施形態１に係る角形二次電池１の概略構成を示す斜視図である。この角形二次電池１は、有底筒状の外装缶１０と、該外装缶１０の開口を覆う蓋板２０と、該外装缶１０内に収納される電極体３０とを備えている。外装缶１０に蓋板２０を取り付けることによって、内部に空間を有する柱状の電池ケース２が構成される。なお、この電池ケース２内には、電極体３０以外に、非水電解液（以下、単に電解液という）も封入されている。
【００２４】
外装缶１０は、アルミニウム合金製の有底筒状部材であり、蓋板２０とともに電池ケース２を構成する。外装缶１０は、図１に示すように、長方形の短辺側が円弧状に形成された底面１１を有する有底筒状の部材である。詳しくは、外装缶１０は、底面１１と、滑らかな曲面を有する扁平筒状の側壁１２とを備えている。すなわち、外装缶１０は、底面１１の短辺方向に対応する厚み方向の寸法が、底面１１の長辺方向に対応する幅方向よりも小さくなる（例えば、厚みが幅の１／１０程度になる）ように、扁平形状に形成されている。また、この外装缶１０は、後述するように正極リード３４に接続される蓋板２０と接合されているため、角形二次電池１の正極端子も兼ねている。
【００２５】
蓋板２０は、外装缶１０の開口部を覆うように、該外装缶１０の開口部に溶接によって接合されている。これにより、蓋板２０によって、電池ケース２の上面が形成される。蓋板２０は、外装缶１０と同様、アルミニウム合金製の部材からなり、該外装缶１０の開口部の内側に嵌合可能なように長方形の短辺側が円弧状に形成されている。また、蓋板２０には、その長手方向の中央部分に貫通孔が形成されている。この貫通孔内には、ポリプロピレン製の絶縁パッキング２１及びステンレス鋼製の負極端子２２が挿通されている。具体的には、概略柱状の負極端子２２が挿通された概略円筒状の絶縁パッキング２１が前記貫通孔の周縁部に嵌合されている。負極端子２２は、円柱状の軸部の両端に平面部がそれぞれ一体形成された構成を有している。負極端子２２は、平面部が外部に露出する一方、該軸部が絶縁パッキング２１内に位置付けられるように、該絶縁パッキング２１に対して配置されている。この負極端子２２には、ステンレス鋼製のリード板２７が接続されている。これにより、負極端子２２は、リード板２７及び後述する負極リード３５を介して、電極体３０の負極３２に電気的に接続されている。なお、リード板２７と絶縁パッキング２１との間には、絶縁体２６が配置されている。
【００２６】
蓋板２０に取り付けられた負極端子２２と、電極体３０との間には、絶縁板３６が配置されている。この絶縁板３６によって、負極端子２２と電極体３０との間で短絡が生じるのを防止できる。
【００２７】
蓋板２０には、負極端子２２と並んで電解液の注入口２４が形成されている。注入口２４は、平面視で略円形状に形成されている。また、注入口２４は、蓋板２０の厚み方向に径が２段階で変化するように小径部及び大径部を有している。この注入口２４は、該注入口２４の径の変化に対応して段状に形成された封止栓２５によって封止されている。そして、封止栓２５と注入口２４の周縁部との間に隙間が生じないように、該封止栓２５の大径部側の外周部と注入口２４の周縁部とはレーザー溶接によって接合されている。
【００２８】
なお、特に図示しないが、蓋板２０上には、回路基板及び樹脂製のカバーなどが配置される。すなわち、蓋板２０は、他の部材によって覆われるため、露出していない。これにより、角形二次電池１に対して、蓋板２０側から衝撃が加わった場合でも、該衝撃を軽減することができる。したがって、蓋板２０側に加わった衝撃が電極体３０に伝わるのを抑制することができる。
【００２９】
（電極体）
電極体３０は、図３に示すように、それぞれシート状に形成された正極３１及び負極３２を、例えば両者の間及び該負極３２の下側にセパレータ３３がそれぞれ位置するように重ね合わせた状態で、図４に示すように渦巻状に巻回することによって形成された巻回電極体である。電極体３０は、正極３１、負極３２及びセパレータ３３を重ね合わせた状態で巻回した後、押しつぶして扁平状に形成される。すなわち、電極体３０は、軸方向に延びる円柱状の巻回体を押し潰して扁平状にすることにより得られる。
【００３０】
ここで、図２では、電極体３０の外周側の数層分しか図示していない。しかしながら、この図２では電極体３０の内周側部分の図示を省略しているだけであり、当然のことながら、電極体３０の内周側にも正極３１、負極３２及びセパレータ３３が存在する。
【００３１】
正極３１は、正極活物質を含有する正極活物質層を、アルミニウム等の金属箔製の正極集電体の両面にそれぞれ設けたものである。詳しくは、正極３１は、リチウムイオンを吸蔵・放出可能なリチウム含有酸化物である正極活物質、導電助剤及びバインダなどを含む正極合剤を、アルミニウム箔などからなる正極集電体上に塗布して乾燥させることによって形成される。正極活物質であるリチウム含有酸化物としては、例えば、ＬｉＣｏＯ２などのリチウムコバルト酸化物やＬｉＭｎ２Ｏ４などのリチウムマンガン酸化物、ＬｉＮｉＯ２などのリチウムニッケル酸化物等のリチウム複合酸化物を用いるのが好ましい。なお、正極活物質として、１種類の物質のみを用いてもよいし、２種類以上の物質を用いてもよい。また、正極活物質は、上述の物質に限られない。
【００３２】
負極３２は、負極活物質を含有する負極活物質層を、銅等の金属箔製の負極集電体の両面にそれぞれ設けたものである。詳しくは、負極３２は、リチウムイオンを吸蔵・放出可能な負極活物質、導電助剤及びバインダなどを含む負極合剤を、銅箔などからなる負極集電体上に塗布して乾燥させることによって形成される。負極活物質としては、例えば、リチウムイオンを吸蔵・放出可能な炭素材料（黒鉛類、熱分解炭素類、コークス類、ガラス状炭素類など）を用いるのが好ましい。負極活物質は、上述の物質に限られない。
【００３３】
すなわち、正極３１及び負極３２は、図３に示すように、金属製の帯状の集電体における長手方向一方側の端部以外に、活物質層を設けることによって形成される。図３には正極３１のみを示し、図中の斜線部分が正極活物質層を設けた部分である。
【００３４】
また、図３に示すように、電極体３０の正極３１には、正極活物質層が形成されていない部分に正極リード３４が接続されている。一方、負極３２には、負極活物質層が形成されていない部分に負極リード３５が接続されている。正極リード３４及び負極リード３５は、帯状の正極３１及び負極３２に対して、それらの短手方向に延びるように接続されている。正極リード３４及び負極リード３５は、正極３１及び負極３２の外方に向かって引き出されている。図２に示すように、正極リード３４の先端側は、蓋板２０に接続されている。一方、負極リード３５の先端側は、既述のリード板２７を介して負極端子２２に接続されている。
【００３５】
セパレータ３３は、例えばポリオレフィンなどの樹脂材料からなる多孔質フィルムである。図３に示すように、セパレータ３３は、正極３１及び負極３２と同様、帯状に形成されていて、該正極３１及び負極３２よりも大きい面積を有する。
【００３６】
図３に示すように、正極３１及び負極３２は、セパレータ３３の長手方向の一方側のみを露出させるように、該セパレータ３３の両面にそれぞれ重ね合わされる。すなわち、正極３１及び負極３２は、セパレータ３３の両面に対し、長手方向の端部が、該セパレータ３３の長手方向の他方側の端部と重なるように配置される。これにより、セパレータ３３の長手方向の一方側は、正極３１及び負極３２に対して突出している。
【００３７】
また、図３に示すように、正極３１及び負極３２は、セパレータ３３の短手方向の一方側（図３の下側）が他方側（図３の上側）よりも露出する範囲（セパレータ３３の突出長さ）が大きくなるように、該セパレータ３３の両面にそれぞれ重ね合わされる。すなわち、正極３１及び負極３２は、セパレータ３３に対して、短手方向の他方側（図３の上側）に偏って配置される。これにより、セパレータ３３の短手方向の一方側には、正極３１及び負極３２よりも突出した突出部分３３ａが形成される。
【００３８】
さらに、図３及び図５に示すように、正極３１及び負極３２は、セパレータ３３の短手方向の他方側における突出部分３３ａの突出長さＸが、電池ケース２において厚み方向に対向する内面同士の間隔Ｙ以上になるように、セパレータ３３に重ね合わされる。
【００３９】
例えば、正極３１及び負極３２は、セパレータ３３に対し、短手方向一方側のセパレータ３３の突出長さが約２ｍｍで、他方側のセパレータ３３の突出長さが約３〜５ｍｍになるように配置される。なお、電池ケース２において厚み方向に対向する内面同士の間隔は、前記他方側のセパレータ３３の突出長さと同等である。
【００４０】
上述のように重ね合わされた正極３１、負極３２及びセパレータ３３は、巻回された後、扁平状に押し潰されることにより、図４に示すような形状の電極体３０となる。図４において、破線は、正極３１及び負極３２を示している。したがって、電極体３０において電池ケース２の底面１１側に位置する下側部分３０ａには、正極３１及び負極３２は配置されておらず、セパレータ３３のみが複数層、積層されている。
【００４１】
なお、特に図示しないが、電極体３０の下側部分３０ａは、テープ等によって一体化される。すなわち、電極体３０の下側部分３０ａに対してテープ等を巻回することにより、該下側部分３０ａを一体化する。
【００４２】
これにより、電池ケース２の底面１１に衝撃が加わった場合でも、電極体３０の下側部分３０ａに位置するセパレータ３３が変形を生じて、衝撃を吸収する。したがって、電池ケース２の底面１１に加わった衝撃が電極体３０の上側部分に伝わるのを防止できる。
【００４３】
（実施形態１の効果）
本実施形態では、正極３１、負極３２及びセパレータ３３を重ね合わせた状態で、セパレータ３３のうち電池ケース２の底面側に位置する部分は、正極３１及び負極３２よりも突出している。これにより、電極体３０において電池ケース２の底面１１側に位置する下側部分３０ａは、セパレータ３３によって構成されるため、電池ケース２の底面１１に加わった衝撃を吸収する緩衝部として機能する。したがって、電池ケース２の底面１１に衝撃が加わった場合に、電極体３０の正極３１及び負極３２がセパレータ３３に対して移動するのを防止できる。
【００４４】
特に、本実施形態では、正極３１、負極３２及びセパレータ３３は、該正極３１及び負極３２に対するセパレータ３３の突出長さが蓋部２０側よりも電池ケース２の底面１１側の方が大きくなるように、重ね合わされている。これにより、電極体３０において電池ケース２の底面１１側は、変形を生じ易くなり、より確実に衝撃を吸収することができる。
【００４５】
さらに、上述の構成では、セパレータ３３において電池ケース２の底面１１側に位置する突出部分３３ａの突出長さＸが、電池ケース２において厚み方向に対向する内面同士の間隔Ｙ以上になるように、セパレータ３３に対して正極３１及び負極３２を重ね合わせる。これにより、電極体３０において電池ケース２の底面１１側に位置する下側部分３０ａが、電極体３０の上下方向に変形をより生じ易くなる。したがって、電極体３０の下側部分３０ａによって、電池ケース２の底面１１に加わった衝撃をさらに確実に吸収することができる。
【００４６】
なお、電池ケース２の蓋部２０側に加わった衝撃は、該蓋部２０上に配置される他の部品、及び、電極体２０の蓋部２０側に配置される部材によって、低減される。しかしながら、蓋部２０側に配置された他の部品等では、底面１１側から受ける衝撃を低減することはできない。本実施形態では、上述の構成により、底面１１側から受けた衝撃が電極体３０に伝わるのを抑制することができる。
【００４７】
＜実施形態２＞
図６に、実施形態２に係る角形二次電池の電極体４０の概略構成を示す。この実施形態では、電極体４０の下側部分４０ａを溶着している点で実施形態１とは異なる。なお、以下の説明において、実施形態１と同様の構成及び機能を有する部分には実施形態１と同一の符号を付して説明を省略する。
【００４８】
具体的には、図６に示すように、電極体４０において、電池ケース２の底面１１側に位置する下側部分４０ａ（図５における網状のハッチング部分）には、実施形態１と同様、正極３１及び負極３２がない状態でセパレータ３３のみが複数層、積層されている。本実施形態では、下側部分４０ａのセパレータ３３は、溶着によって互いに接続されている。これにより、電極体４０の下側部分４０ａは、一体化されている。
【００４９】
なお、下側部分４０ａのセパレータ３３を全て溶着してもよいし、下側部分４０ａのセパレータ３３の一部のみを溶着してもよい。実施形態１と同様、電極体４０の下側部分４０ａが、衝撃を吸収する緩衝部として機能する。
【００５０】
（実施形態２の効果）
本実施形態では、電極体４０において、電池ケース２の底面１１側に位置する下側部分４０ａのセパレータ３３が、溶着によって互いに接続されている。これにより、電極体４０の下側部分４０ａを一体化することができる。したがって、電極体４０の端部を纏めるためのテープ等の部材が不要になる。
【００５１】
＜実施形態３＞
図７に、実施形態３に係る角形二次電池の電極体５０の概略構成を示す。この実施形態では、電極体５０の下側部分を折り曲げている点で実施形態１とは異なる。なお、以下の説明において、実施形態１と同様の構成及び機能を有する部分には実施形態１と同一の符号を付して説明を省略する。
【００５２】
具体的には、図７に示すように、扁平状の電極体５０において、電池ケース２の底面１１側に位置する下側部分５０ａは、厚み方向に折り曲げられている。図６の例では、電極体５０の下側部分５０ａは、該電極体５０の幅方向全体に亘って電極体５０の下端部が該電極体５０の側方に位置するように、折り曲げられている。この下側部分５０ａが衝撃を吸収する緩衝部として機能する。
【００５３】
（実施形態３の効果）
本実施形態では、電極体５０において、電池ケース２の底面１１側に位置する下側部分５０ａを構成するセパレータ３３が、該電極体５０の厚み方向に折り曲げられている。これにより、電極体５０の下側部分５０ａを一体化することができる。したがって、電極体５０の端部を纏めるためのテープ等の部材が不要になる。
【００５４】
また、上述のように、電極体５０の下側部分５０ａを該電極体５０の厚み方向に折り曲げることにより、折り曲げられた下側部分５０ａが上下方向に変形を生じ易くなる。これにより、電極体５０の下側部分５０ａによって、電池ケース２の底面１１に加わる衝撃を吸収することができる。したがって、電池ケース２の底面１１側に加わった衝撃が電極体５０の上側部分に伝わるのを防止することができ、正極３１及び負極３２がセパレータ３３に対して移動するのを防止できる。
【００５５】
しかも、セパレータ３３において電池ケース２の底面１１側で突出する部分の突出長さＸが、電池ケース２において厚み方向に対向する内面同士の間隔Ｙ以上になるように、セパレータ３３に対して正極３１及び負極３２を重ね合わせることによって、電極体５０の下側部分５０ａは形成される。これにより、下側部分５０ａを電極体５０の厚み方向に容易に折り曲げることができる。また、電極体５０の厚み方向に折り曲げられた下側部分５０ａを電池ケース２の底面１１の内面全体に配置できるため、電極体５０に伝わる衝撃を下側部分５０ａによってより確実に吸収することができる。
【００５６】
＜実施形態４＞
図８に、実施形態４に係る角形二次電池の電極体におけるセパレータ３３と正極３１との配置を示す。この実施形態は、電極体の上下部分にそれぞれ実施形態１と同様の突出長さＸを有する突出部分３３ａ，３３ｂが形成されるように、該セパレータ３３に対して正極３１及び負極３２を重ね合わせた点で実施形態１とは異なる。なお、以下の説明において、実施形態１と同様の構成及び機能を有する部分には実施形態１と同一の符号を付して説明を省略する。
【００５７】
図８に示すように、正極３１は、セパレータ３３に対し、短手方向の両側にそれぞれ形成される突出部分３３ａ，３３ｂの突出長さＸが、電池ケース２において厚み方向に対向する内面同士の間隔Ｙ以上になるように、重ね合わされる。すなわち、実施形態１では、セパレータ３３の短手方向の一方側（電池ケース２の底面１１側）のみに、突出長さＸの突出部分３３ａが形成されるのに対し、この実施形態では、セパレータ３３の短手方向の両側に突出長さＸの突出部分３３ａ，３３ｂが形成される。
【００５８】
なお、図８には特に図示しないが、負極３２も、正極３１と同様、セパレータ３３に対し、短手方向の両側でそれぞれ突出する部分の突出長さＸが、電池ケース２において厚み方向に対向する内面同士の間隔Ｙ以上になるように、重ね合わされる。
【００５９】
上述のように重ね合わされた正極３１、負極３２及びセパレータ３３を巻回して押し潰すことにより形成される電極体は、軸方向両端部分に、セパレータ３３によって構成される緩衝部を有する。これにより、電池ケース２の上下から衝撃が加わった場合でも、電極体の軸方向両端部分で衝撃を吸収することができる。
【００６０】
（実施形態４の効果）
本実施形態では、正極３１及び負極３２に対して短手方向の両側で突出するセパレータ３３の突出部分３３ａ，３３ｂの突出長さＸが、電池ケース２において厚み方向に対向する内面同士の間隔Ｙ以上になるように、正極３１及び負極３２をセパレータ３３に対して重ね合わせた。これにより、正極３１、負極３２及びセパレータ３３を巻回して押し潰してなる電極体は、軸線方向両側にセパレータ３３によって構成される緩衝部を有する。よって、電極体の軸方向中央部分に加わる衝撃を軽減することができ、セパレータ３３に対して正極３１及び負極３２が移動するのを防止することができる。
【００６１】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６２】
前記各実施形態では、正極３１及び負極３２は、それぞれ帯状に形成されるとともに、長手方向の一方側の端部を除いて、集電体上に活物質層が形成されている。しかしながら、正極３１及び負極３２の構成は、正極及び負極の電極として機能する構成であれば、どのような構成であってもよい。
【００６３】
前記実施形態１では、それぞれシート状に形成された正極３１及び負極３２を、例えば両者の間及び該負極３２の下側にセパレータ３３がそれぞれ位置するように重ね合わせている。しかしながら、正極３１、負極３２、セパレータ３３を重ねる順番は、二次電池を構成可能な順番であれば、どのような順番であってもよい。
【００６４】
前記各実施形態では、角形二次電池１の電池ケース２を、長方形の短辺側が円弧状に形成された底面を有する柱状としている。しかしながら、電池ケースの形状は、六面体など他の形状であってもよい。
【００６５】
前記各実施形態では、角形二次電池１をリチウムイオン電池として構成している。しかしながら、角形二次電池１はリチウムイオン電池以外の電池であってもよい。
【産業上の利用可能性】
【００６６】
本発明は、電池ケース内に、正極、負極及びセパレータを巻回してなる電極体が収納された角形二次電池に利用可能である。
【符号の説明】
【００６７】
１：角形二次電池、２：電池ケース、１０：外装缶、１１：底面、１２：側壁、２０：蓋板、３０：電極体、３１：正極、３２：負極、３３：セパレータ、３３ａ，３３ｂ：突出部分、Ｘ：突出部分の突出長さ、Ｙ：電池ケースにおいて対向する内面同士の間隔
【図１】
2013164967.tif 000003
【図２】
2013164967.tif 000004
【図３】
2013164967.tif 000005
【図４】
2013164967.tif 000006
【図５】
2013164967.tif 000007
【図６】
2013164967.tif 000008
【図７】
2013164967.tif 000009
【図８】
2013164967.tif 000010